(57)【要約】【課題】電子ペンの記載中においても省電力化を図ることができる電子ペン等を提供する。【解決手段】本電子ペンは、専用紙３０に記載を行うための電子ペン１０であって、専用紙３０のドットを検出するドット検出部１３と、ドット検出部１３により閉領域を形成するドット群が検出された否かを判定し、このようなドット群が検出されたと判定された場合、電子ペン１０の電力が低減するよう制御する制御部１２と、を備える。【選択図】図１
2012247939.tif 000002
【特許請求の範囲】
【請求項１】
用紙に記載を行うための電子ペンであって、
前記用紙のドットを検出するドット検出部と、
前記ドット検出部により閉領域を形成するドット群が検出された否かを判定する判定部と、
前記判定部により前記ドット群が検出されたと判定された場合、当該電子ペンの電力が低減するよう制御する電力制御部と、
を備える電子ペン。
【請求項２】
請求項１に記載の電子ペンであって、
前記判定部は、前記ドット検出部により前記閉領域内でドットが検出されたか否かを判定し、
前記電力制御部は、前記判定部により前記閉領域内で前記ドットが検出されたと判定された場合、当該電子ペンの電力が低減するよう制御する電子ペン。
【請求項３】
請求項１に記載の電子ペンであって、
前記判定部は、前記ドット検出部により前記閉領域内で同一ドットが所定回数以上検出されたか否かを判定し、
前記電力制御部は、前記判定部により前記閉領域内で前記同一ドットが所定回数以上検出されたと判定された場合、当該電子ペンの電力が低減するよう制御する電子ペン。
【請求項４】
請求項１に記載の電子ペンであって、
前記判定部は、前記ドット検出部により、前記閉領域が形成されてから前記閉領域内でドットが所定時間以上連続して検出されたか否かを判定し、
前記電力制御部は、前記判定部により前記閉領域内で前記ドットが前記所定時間以上連続して検出されたと判定された場合、当該電子ペンの電力が低減するよう制御する電子ペン。
【請求項５】
用紙に記載を行うための電子ペンであって、
前記用紙のドットを検出するドット検出部と、
前記ドット検出部により所定時間以上、前記用紙のドットが検出されなかったか否かを判定する判定部と、
前記判定部により前記ドットが所定時間以上検出されなかったと判定された場合、前記電子ペンの電力が低減するよう制御する電力制御部と、
を備える電子ペン。
【請求項６】
請求項１ないし５のいずれか１項に記載の電子ペンであって、
前記判定部は、前記電力制御部による当該電子ペンの電力低減制御後、前記ドット検出部により所定時間以上前記用紙のドットが検出されなかったか否かを判定し、
前記電力制御部は、前記判定部により所定時間以上前記ドットが検出されなかったと判定された場合、当該電子ペンの電力低減制御を解除する電子ペン。
【請求項７】
請求項１ないし５のいずれか１項に記載の電子ペンであって、
前記判定部は、前記電力制御部による当該電子ペンの電力低減制御後、前記ドット検出部により前記閉領域外でドットが検出されたか否かを判定し、
前記電力制御部は、前記判定部により前記閉領域外で前記ドットが検出されたと判定された場合、当該電子ペンの電力低減制御を解除する電子ペン。
【請求項８】
請求項１ないし７のいずれか１項に記載の電子ペンであって、
前記判定部は、前記電力制御部により当該電子ペンの電力が低減するよう制御される場合、前記ドット検出部により前記閉領域内の全ドットが検出されたものと擬制する電子ペン。
【請求項９】
用紙に記載を行うための電子ペンにおける電力制御方法であって、
前記用紙のドットを検出するステップと、
閉領域を形成するドット群が検出された否かを判定するステップと、
前記ドット群が検出されたと判定された場合、前記電子ペンの電力が低減するよう制御するステップと、
を有する電力制御方法。
【請求項１０】
用紙に記載を行うための電子ペンにおける電力制御方法であって、
前記用紙のドットを検出するステップと、
所定時間以上、前記用紙のドットが検出されなかったか否かを判定するステップと、
前記ドットが検出されなかったと判定された場合、前記電子ペンの電力が低減するよう制御するステップと、
を有する電力制御方法。
【請求項１１】
請求項９に記載の電力制御方法の各ステップをコンピュータに実行させるための電力制御プログラム。
【請求項１２】
請求項１０に記載の電力制御方法の各ステップをコンピュータに実行させるための電力制御プログラム。
【発明の詳細な説明】
【技術分野】
【０００１】
本発明は、用紙に記載を行うための電子ペン、電力制御方法、及び電力制御プログラムに関する。
【背景技術】
【０００２】
従来、ドットが印刷された専用紙に記載を行い、記載した位置のドットパターンを読み取って座標データを出力可能な電子ペンが知られている。また、この電子ペンの省電力化を図るために、専用紙に記載が行われていない時に省電力化を行う技術が知られている（例えば特許文献１、２、３参照）。
【０００３】
特許文献１には、振動検出回路により、電子ペンによる座標入力（記載動作）が検出された場合、電子ペンの全回路に電源を供給することが示されている。
【０００４】
特許文献２には、電子ペンを制御するＣＰＵが、各回路の制御とペンスイッチの計測を実行し、次に起動状態になるまでの時間値をタイマに設定した後、待機状態になることで、省電力化を行うことが示されている。
【０００５】
特許文献３には、ペンの先端が書き込み面と接触していない場合、低電力モードで動作し、ペンの先端が書き込み面から離れた場合、一旦、中電力モードで動作し、長い間、書き込み面と接触していない場合、低電力モードで動作することが示されている。
【先行技術文献】
【特許文献】
【０００６】
【特許文献１】特開平５−１８９１３３号公報
【特許文献２】特開２００７−７２６１８号公報
【特許文献３】特表２００９−５４３１８１号公報
【発明の概要】
【発明が解決しようとする課題】
【０００７】
しかしながら、上記従来の電子ペンにおいて、更なる省電力化が要望された。すなわち、従来、専用紙に記載が行われていない時には、前述したような省電力化が図られていたが、電子ペンの記載中には省電力化が図られておらず、電子ペンの記載中においても、省電力化を図ることが望まれた。
【０００８】
本発明は、上記事情に鑑みてなされたものであり、電子ペンの記載中においても省電力化を図ることができる電子ペン、電力制御方法、及び電力制御プログラムを提供することを目的とする。
【課題を解決するための手段】
【０００９】
本発明の電子ペンは、用紙に記載を行うための電子ペンであって、前記用紙のドットを検出するドット検出部と、前記ドット検出部により閉領域を形成するドット群が検出された否かを判定する判定部と、前記判定部により前記ドット群が検出されたと判定された場合、当該電子ペンの電力が低減するよう制御する電力制御部と、を備える。
【００１０】
この構成によれば、閉領域を形成するドット群が検出された場合、電子ペンの電力が低減するので、電子ペンの記載中においても省電力化を図ることができる。
【００１１】
また、本発明の電子ペンは、用紙に記載を行うための電子ペンであって、前記用紙のドットを検出するドット検出部と、前記ドット検出部により所定時間以上、前記用紙のドットが検出されなかったか否かを判定する判定部と、前記判定部により前記ドットが所定時間以上検出されなかったと判定された場合、前記電子ペンの電力が低減するよう制御する電力制御部と、を備える。
【００１２】
この構成によれば、電子ペンの記載中においても、読み取り可能なドットを有する専用紙か上記ドットを有しない一般紙かを判別することができ、省電力化を図ることができる。
【００１３】
また、本発明の第１の電力制御方法は、用紙に記載を行うための電子ペンにおける電力制御方法であって、前記用紙のドットを検出するステップと、閉領域を形成するドット群が検出された否かを判定するステップと、前記ドット群が検出されたと判定された場合、前記電子ペンの電力が低減するよう制御するステップと、を有する。
【００１４】
この方法によれば、閉領域を形成するドット群が検出された場合、電子ペンの電力が低減するので、電子ペンの記載中においても省電力化を図ることができる。
【００１５】
また、本発明の第２の電力制御方法は、用紙に記載を行うための電子ペンにおける電力制御方法であって、前記用紙のドットを検出するステップと、所定時間以上、前記用紙のドットが検出されなかったか否かを判定するステップと、前記ドットが検出されなかったと判定された場合、前記電子ペンの電力が低減するよう制御するステップと、を有する。
【００１６】
この方法によれば、電子ペンの記載中においても、読み取り可能なドットを有する専用紙か上記ドットを有しない一般紙かを判別することができ、省電力化を図ることができる。
【００１７】
また、本発明の電力制御プログラムは、上記第１の電力制御方法の各ステップをコンピュータに実行させるためのプログラムである。
【００１８】
このプログラムによれば、閉領域を形成するドット群が検出された場合、電子ペンの電力が低減するので、電子ペンの記載中においても省電力化を図ることができる。
【００１９】
また、本発明の電力制御プログラムは、上記第２の電力制御方法の各ステップをコンピュータに実行させるためのプログラムである。
【００２０】
このプログラムによれば、電子ペンの記載中においても、読み取り可能なドットを有する専用紙か上記ドットを有しない一般紙かを判別することができ、省電力化を図ることができる。
【発明の効果】
【００２１】
本発明によれば、電子ペンの記載中においても省電力化を図ることができる。
【図面の簡単な説明】
【００２２】
【図１】本発明の第１の実施形態における電子ペンを用いた手書き入力システムの構成例を示す図
【図２】（Ａ）本発明の第１の実施形態における専用紙に記載が行なわれる電子ペンの外観例を示す図、（Ｂ）本発明の第１の実施形態における専用紙および一般紙の紙面の一例を示す図
【図３】本発明の第１の実施形態における電子ペンの記載時における電力制御手順の一例を示すフローチャート
【図４】本発明の第１の実施形態における手書きによる記載と電子データとの対応の一例を示す図
【図５】本発明の第２の実施形態における電子ペンの記載時における電力制御手順の一例を示すフローチャート
【図６】（Ａ）、（Ｂ）本発明の第２の実施形態における手書きによる記載と電子データとの対応の一例を示す図
【図７】本発明の第３の実施形態における電子ペンの記載時における電力制御手順の一例を示すフローチャート
【図８】本発明の第４の実施形態における電子ペンの記載時における電力制御手順の一例を示すフローチャート
【図９】本発明の第５の実施形態における電子ペンの記載時における電力制御手順の一例を示すフローチャート
【発明を実施するための形態】
【００２３】
本発明の実施形態について、図面を用いて以下に説明する。
【００２４】
本実施形態の電子ペンは、例えば手書き入力システムに適用される。
【００２５】
（第１の実施形態）
図１は本発明の第１の実施形態の電子ペンを用いた手書き入力システムの構成例を示す図である。手書き入力システム１は、電子ペン１０、専用紙３０、およびホストコンピュータ５０を有して構成される。
【００２６】
電子ペン１０は、ペン部１１、制御部１２、ドット検出部１３、メモリ１４、電源部１５、電池１６、および無線通信部１７から主に構成される。電子ペン１０により用紙に記載を行う。
【００２７】
ペン部１１は、通常のペンと同様、インクカートリッジ１１ａ（図２参照）を有し、インクで専用紙３０に文字などを記載可能なものである。
【００２８】
制御部１２は、周知のＣＰＵ、ＲＯＭ、ＲＡＭなどを有し、電子ペン１０全体を制御する。制御部１２は、主に、座標データの解析、この解析した座標データの送信、電源制御、タイマ管理、などを行う。
【００２９】
ドット検出部１３は、カメラ１３ａおよび圧力センサ１３ｂを有し、紙面からの圧力で圧力センサ１３ｂがオンになった時にカメラ１３ａで撮影することによりドットを検出する。つまり、ドット検出部１３は、用紙のドットを検出する。
【００３０】
メモリ１４は、ドット検出部１３によって検出されたドットバターンから得られる座標データを記録する。メモリ１４には、ドットパターンと専用紙３０の位置座標とを対応付けるテーブル１４ｂが登録されている。また、メモリ１４には、制御部１２によって管理されるタイマ１４ａが設けられ、このタイマ１４ａで計時された時間がメモリ１４の所定の領域に記憶される。
【００３１】
電源部１５は、電池１６を電源とし、電子部品で構成される各部に電力を供給する。
【００３２】
無線通信部１７は、ホストコンピュータ５０との間で、Ｂｌｕｅｔｏｏｔｈ（登録商標）や赤外通信などの近距離無線通信等を行う。また、ＣＤＭＡ方式など携帯電話で使用される遠距離通信を行ってもよい。
【００３３】
図２（Ａ）は専用紙３０に記載が行われる電子ペン１０の外観例を示す図である。また、図２（Ｂ）は電子ペン１０によって記載される専用紙３０および一般紙４０の紙面を示す図である。電子ペン１０は、前述したように、通常のペンと同様、ユーザが把持して専用紙３０や一般紙４０にインクで文字などを記載可能である。
【００３４】
専用紙３０の紙面には、電子ペン１０のペン先の近傍に取り付けられたカメラ１３ａで撮影可能なドットパターンが印刷されている。つまり、専用紙３０は、台紙の上に、このドットパターンが印刷されたものである。
【００３５】
カメラ１３ａは、電子ペン１０の記載位置を撮影するものであり、例えば、１ｍｍ×１ｍｍの大きさを撮影範囲とし、その中に含まれるドットパターン３１を撮影する（図中、拡大した部分３０ａ参照）。メモリ１４に登録されたテーブル１４ｂにより、撮影されたドットパターンと専用紙３０の位置座標とが対応付けられる。なお、カメラ１３ａは、ＬＥＤ等の発光部を搭載し、撮影範囲を照らすようにしてもよい。
【００３６】
撮影されたドットパターンがメモリ１４内のテーブル１４ｂに登録されたドットパターンに一致すると、その位置座標が特定され、座標データとしてメモリ１４に記録される。なお、専用紙に印刷されたドットパターンを撮影し、その位置座標を特定する技術は、公知の技術であるので、その詳細な説明を省略し、ここでは、簡単な説明に留める。
【００３７】
ユーザは、電子ペン１０を専用紙３０に接触させて移動させることにより、ペン先から出るインクで専用紙３０に文字などを記載する。このとき同時に、カメラ１３ａで撮影される記載位置のドットパターンによって特定される位置座標が時系列にメモリ１４に記録され、専用紙３０上の記載位置が特定される。本実施形態では、カメラ１３ａで１秒間に例えば１００回撮影され、その位置座標が時系列に記録される。以後、単に、「ドット」という場合、位置座標の特定が可能なドットパターンを指すものとする。なお、ドットパターンは、通常、所定数以上（例えば１６個）のドット群の配置で決定されるが、ドット自体の形状を変えるなどによりその数を少なくすることも可能であり、１つ以上のドットで決定される。
【００３８】
また、本実施形態では、カメラ１３ａによって記載位置が撮影され、その座標データ（電子データ）が生成されると同時に、撮影された時点の時刻データも制御部１２によって管理されるタイマ１４ａで取得可能である。
【００３９】
ホストコンピュータ５０は、周知のＣＰＵ、ＲＯＭ、ＲＡＭなどを内蔵するコンピュータ本体、マウスやキーボード等の入力機器、表示パネル、プリンタ、および外部記憶装置を有する他、電子ペン１０との間で電子データの送受信を行う無線通信部５０ａを有する。ホストコンピュータ５０は、電子ペン１０から送信される電子データを受信すると、この電子データから筆跡を認識し、文字、数字、記号などのデータを取得する。
【００４０】
上記構成を有する手書き入力システム１に用いられる電子ペン１０の動作例を示す。図３は電子ペン１０の記載時における電力制御手順の一例を示すフローチャートである。この電力制御プログラムは、制御部１２内のＲＯＭに格納されており、電子ペン１０の電源オン後、制御部１２内のＣＰＵによって繰り返し実行される。
【００４１】
まず、制御部１２は、無線通信部１７をオンにする（ステップＳ１）。続いて、制御部１２は、ドット検出部１３によってドットが検出されたか否かを判別する（ステップＳ２）。所定時間経過してもドットが検出されない場合、制御部１２は、無線通信部１７をオフにし（ステップＳ１２）、本動作を終了する。
【００４２】
一方、ステップＳ２でドットが検出された場合、制御部１２は、前述したように、カメラ１３ａで撮影されたドットからその位置座標を特定し、メモリ１４に座標データを記録する（ステップＳ３）。すなわち、電子ペン１０によって連続して記載された位置がドットから解析され、筆跡を表す座標データが記録される。
【００４３】
制御部１２は、ステップＳ３のドット座標解析処理の結果、記録された座標データから電子ペン１０による筆跡で囲まれた領域、つまり閉じた領域（閉領域）があるか否かを判別する（ステップＳ４）。ここで、電子ペンで囲まれるとは、同じドットに戻る、あるいはあらかじめ設定された周囲の数ドット内に戻ることを指し、閉じたエリアを形成するドット群（複数のドットパターン）が検出されたことに相当する。また、ステップＳ４の処理は、閉領域を形成するドット群が検出されたか否かを判定する判定部に相当する。
【００４４】
閉じた領域（エリア）が無い場合、制御部１２は、ホストコンピュータ５０と無線通信を行い、電子ペン１０によって記載されたドットの座標データをホストコンピュータ５０に転送する（ステップＳ５）。
【００４５】
この無線通信では、制御部１２内のＣＰＵがメモリ１４に記録された座標データを無線通信部１７に転送する。そして、無線通信部１７は、例えばホストコンピュータ５０内の無線通信部５０ａと近距離無線通信を確立し、座標データを送信する。この後、制御部１２はステップＳ２の処理に戻る。
【００４６】
一方、ステップＳ４で閉じたエリアがあった場合、制御部１２は、ホストコンピュータ５０に対し、閉じたエリアの塗りつぶしを行う旨を通知する（ステップＳ６）。この塗りつぶしは、ホストコンピュータ５０側で行われてもよいし、電子ペン１０側で行われてもよい。この通知では、制御部１２からホストコンピュータ５０側に塗りつぶしを表すデータが送信される。このデータは、例えば、塗りつぶし範囲を表すデータであってもよいし、塗りつぶされた座標データ、つまり塗りつぶし範囲内の全ての座標データであってもよい。
【００４７】
制御部１２は、電源部１５を制御し、無線通信部１７に供給される電力を停止又は制限して省電力化を行う（ステップＳ７）。このように、閉じたエリアが検出された時点で、電子ペン１０は省電力モードに移行する。これにより、電子ペン１０で消費される電力が低減する。なお、ステップＳ７の処理は、閉領域を形成するドット群が検出されたと判定された場合に電子ペン１０の電力が低減するよう制御する電力制御部としての機能の一例である。
【００４８】
この後、制御部１２は、電子ペン１０によるドットが検出されたか否かを判別する（ステップＳ８）。ドットが検出されない場合、制御部１２はステップＳ８の処理を繰り返す。一方、ドットが検出された場合、制御部１２は、検出されたドットが閉じたエリアの外（閉領域外）にあるドットであるか否かを判別する（ステップＳ９）。
【００４９】
閉じたエリア内のドットである場合、制御部１２は、ステップＳ８の処理に戻り、省電力モードを継続する。一方、検出されたドットが閉じたエリアの外にあるドットである場合、制御部１２は、無線通信部１７をオンにして省電力モードを解除し（ステップＳ１０）、無線通信を再開する（ステップＳ１１）。この後、制御部１２はステップＳ２の処理に戻る。
【００５０】
図４は手書きによる記載と電子データとの対応の一例を示す図である。手書きによる閉じたエリアがあった場合、そのエリア内で塗りつぶされた電子データが生成される。また、手書きによる閉じたエリアがあり、さらに、その内側に繰り返し記載されたドットがある場合、同様に、そのエリア内で塗りつぶされた電子データが生成される。また、手書きによる閉じたエリアがあり、さらに、その内側が塗りつぶされた場合、同様に、そのエリア内で塗りつぶされた電子データが生成される。
【００５１】
通常、紙面では、濃淡や太さの関係上、同じ場所を塗りつぶす行為が行われる。この場合、電子データとしては上書きされることになるが、データとしては無駄であり、通信電力も費やされることになる。このため、データ上では、ある一定エリアを塗ったようにすることで、無駄なデータを無くし、省電力化を図ることができる。なお、説明を簡単にするために、ここでは、閉じたエリアとして「丸」である場合を示したが、四角、三角などの形状であってもよい。
【００５２】
このような本実施形態の電子ペン１０によれば、電子ペン１０による記載中、閉じたエリアがあり、塗りつぶしを行っていると判断される場合、無線通信部１７をオフにして省電力モードに移行する。これにより、電子ペンの記載中においても省電力化を図ることができる。
【００５３】
また、閉じたエリアの外側のドットを検出した時点で、無線通信部１７をオンにして省電力モードを解除し、通信を再開する。つまり、制御部１２は、電力低減制御後に、閉領域外でドットが検出されたと判定された場合、当該電子ペンの電力低減制御を解除する。これにより、速やかに通常モードに復帰することができる。
【００５４】
また、制御部１２は、電子ペン１０の電力が低減するよう制御される場合、ドット検出部１３により閉領域内の全ドットが検出されたものと擬制する。これにより、省電力化を図りつつ、ユーザは簡単な操作で塗りつぶしを行うことができる。
【００５５】
（第２の実施形態）
本発明の第２の実施形態の電子ペン１０および電子ペン１０を用いた手書き入力システム１は、第１の実施形態と同一の構成を有するので、同一の符号を付すことによりその説明を省略する。ここでは、第１の実施形態と異なる構成および動作について主に説明する。
【００５６】
図５は本発明の第２の実施形態の電子ペン１０の記載時における電力制御手順の一例を示すフローチャートである。第１の実施形態と同一のステップ処理については同一のステップ番号を付すことによりその説明を省略する。
【００５７】
制御部１２は、ステップＳ３でドット座標解析処理を行った結果、閉じたエリアがないか否かを判別する（ステップＳ４Ａ）。閉じたエリアがない場合、制御部１２はステップＳ５の処理に進む。一方、閉じたエリアがある場合、制御部１２は、ドットが検出されたか否かを判別する（ステップＳ４Ｂ）。
【００５８】
所定時間待機してもドットが検出されない場合、制御部１２は、ステップＳ１２で無線通信部１７をオフにする。一方、ステップＳ４Ｂでドットが検出された場合、制御部１２は、この検出されたドットが閉じたエリア内（閉領域内）のドットであるか否かを判別する（ステップＳ４Ｃ）。
【００５９】
閉じたエリア内のドットでない場合、制御部１２は、ステップＳ５で無線通信を行う。一方、閉じたエリア内のドットである場合、制御部１２は、この検出された同一ドットの検出回数ｎが閾値（ここでは値４）以上であるか否かを判別する（ステップＳ４Ｄ）。閾値未満である場合、制御部１２はステップＳ４Ｂの処理に戻る。一方、閾値以上である場合、つまり、同一ドットが所定回数以上検出された場合、制御部１２は、ステップＳ６で塗りつぶしに移行する旨を通知し、ステップＳ７で省電力モードに移行する。ステップＳ６以降の処理は第１の実施形態と同様である。
【００６０】
図６は手書きによる記載と電子データとの対応の一例を示す図である。
図６（Ａ）に示すように、本実施形態では、第１の実施形態と異なり、手書きによる閉じたエリアがあっただけでは、そのエリア内の電子データは塗りつぶされた電子データとして生成されない。したがって、この場合、白丸「○」の筆跡となる電子データが生成される。また、手書きによる閉じたエリアがあり、さらに、その内側に繰り返し記載されたドットがある場合、つまり、複数回（閾値以上）の同一ドットが検出された場合、そのエリア内で塗りつぶされた電子データが生成される。また、手書きによる閉じたエリアがあり、さらに、その内側が塗りつぶされた場合も、そのエリア内で塗りつぶされた電子データが生成される。
【００６１】
また、図６（Ｂ）では、閉じたエリア内に手書きによる数字の記載があった場合、丸数字が記載されたと判断され、丸数字の電子データが生成される。下線付きの丸数字も同様である。つまり、丸数字の場合、閉じたエリア内のドットが検出されても、この検出された同一ドットの検出回数ｎが閾値未満となるので、エリア内を塗りつぶす電子データは生成されず、エリア内のドットを表す電子データ（座標データ）がそのまま生成される。
【００６２】
このように、制御部１２は、ドット検出部１３により閉領域内でドットが検出された場合、電子ペン１０の電力が低減するよう制御してもよい。これにより、閉じたエリアであっても、黒丸（●）と白丸（○）を簡単に区別することができる。
【００６３】
また、制御部１２は、閉領域が形成されてから閉領域内でドットが所定回数以上検出された場合、電子ペン１０の電力が低減するよう制御してもよい。これにより、同一ドットの検出回数を調べることで、エリア内を塗りつぶしたくない場合、例えば丸数字の場合にも対応することができる。したがって、単なる丸と丸数字を区別することができる。
【００６４】
なお、丸「○」に限らず、「０、４、６、８、９」の数字や「Ａ、Ｂ、Ｄ、Ｏ、Ｐ、Ｑ、Ｒ」のアルファベット、閉じた空間を持つひらがな、カタカナ、漢字などにおいても、同様に区別することが可能である。
【００６５】
（第３の実施形態）
本発明の第３の実施形態の電子ペン１０および電子ペン１０を用いた手書き入力システム１は、第１の実施形態と同一の構成を有するので、同一の符号を付すことによりその説明を省略する。ここでは、第１の実施形態と異なる構成および動作について主に説明する。
【００６６】
図７は本発明の第３の実施形態の電子ペン１０の記載時における電力制御手順の一例を示すフローチャートである。第１、第２の実施形態と同一のステップ処理については同一のステップ番号を付すことによりその説明を省略する。
【００６７】
制御部１２は、ステップＳ４Ａで閉じたエリアがある場合、タイマ１４ａを起動する（ステップＳ４Ｅ）。そして、制御部１２は、ドット検出部１３により閉じたエリア内のドットが検出されたか否かを判別する（ステップＳ４Ｆ）。
【００６８】
閉じたエリア内のドットが検出されない場合、制御部１２は、ステップＳ２の処理に戻る。一方、閉じたエリア内のドットが検出された場合、制御部１２は、タイマ１４ａで計時された時間があらかじめ設定された規定時間以上となってタイマ１４ａが終了したか否かを判別する（ステップＳ４Ｇ）。タイマ１４ａが終了していない場合、制御部１２はステップＳ４Ｆの処理に戻る。
【００６９】
一方、タイマ１４ａが終了した場合、つまり、所定時間以上連続してエリア内のドットが検出された場合、制御部１２は、ステップＳ６で塗りつぶしに移行する旨を通知し、ステップＳ７で省電力モードに移行する。ステップＳ６以降の処理は第１の実施形態と同様である。
【００７０】
このように、閉じたエリア内でドットが規定時間以上検出された場合、制御部１２は、塗りつぶす行為が行われていると判断し、電子的にデータの塗りつぶしを行い、通信を制限する省電力モードに移行する。また、閉じたエリアの外側にドットが検出された場合、省電力モードが解除される。
【００７１】
このように、制御部１２は、閉領域が形成されてからこの閉領域内でドットが所定時間異常連続して検出された場合、電子ペン１０の電力が低減するよう制御してもよい。これにより、第２の実施形態と同様、閉じたエリアであっても、黒丸（●）と白丸（○）を簡単に区別することができる。したがって、エリア内を全て塗りつぶしたくない場合に対応することができる。
【００７２】
なお、「丸」に限らず、「０、４、６、８、９」の数字や「Ａ、Ｂ、Ｄ、Ｏ、Ｐ、Ｑ、Ｒ」のアルファベット、閉じた空間を持つひらがな、カタカナ、漢字などを区別することも可能である。
【００７３】
また、閉じたエリア内を塗りつぶす時間と比較して、閉じたエリア内で数字などを記載する時間は短いと考えられるので、これらの行為を区別可能な時間に規定時間を設定することで、丸数字などにも対応することができる。
【００７４】
（第４の実施形態）
本発明の第４の実施形態の電子ペン１０および電子ペン１０を用いた手書き入力システム１は、第１の実施形態と同一の構成を有するので、同一の符号を付すことによりその説明を省略する。ここでは、第１の実施形態と異なる構成および動作について主に説明する。
【００７５】
図８は本発明の第４の実施形態の電子ペン１０の記載時における電力制御手順の一例を示すフローチャートである。第１の実施形態と同一のステップ処理については同一のステップ番号を付すことによりその説明を省略する。
【００７６】
制御部１２は、電子ペン１０による塗りつぶしが行われている省電力モード中、ステップＳ８でドットが検出されないと判別された場合、タイマ１４ａを起動する（ステップＳ８Ａ）。そして、制御部１２は、ドットが検出された否かを判別する（ステップＳ８Ｂ）。ドットが検出された場合、制御部１２は、タイマ１４ａをリセットし（ステップＳ８Ｃ）、ステップＳ９の処理に進む。
【００７７】
一方、ドットが検出されない場合、制御部１２は、タイマ１４ａが予め設定された規定時間以上となって終了したか否かを判別する（ステップＳ８Ｄ）。タイマが終了していない場合、制御部１２はステップＳ８Ｂの処理に戻る。一方、タイマが終了した場合、制御部１２はステップＳ１の処理に戻る。
【００７８】
このように、省電力モードに入った後（電力低減制御後）、ドットが検出されなくなった時間を起点にタイマを起動し、規定時間以上となった場合、省電力モードから通常モードに戻す。つまり、塗りつぶす行為が終わった後に電子ペン１０を専用紙から離す行為を利用して、省電力モードから通常モードへの切り替えが行われる。
【００７９】
このように、制御部１２は、電子ペン１０の電力低減制御後、所定時間以上ドットが検出されなかった場合、電子ペン１０の電力低減制御を解除する。これにより、省電力モードから通常モードに復帰する際、電子データの送信遅延を防止することができる。つまり、専用紙３０への記載行為の合間を利用し、記載を再開する前に通信状態を戻すことで、電子データの送信追従性を確保することができる。
【００８０】
（第５の実施形態）
本発明の第５の実施形態の電子ペン１０および電子ペン１０を用いた手書き入力システム１は、第１の実施形態と同一の構成を有するので、同一の符号を付すことによりその説明を省略する。ここでは、第１の実施形態と異なる構成および動作について主に説明する。
【００８１】
図９は本発明の第５の実施形態の電子ペン１０の記載時における電力制御手順の一例を示すフローチャートである。この電力制御プログラムは、制御部１２内のＲＯＭに格納されており、電子ペン１０の電源オン後、制御部１２内のＣＰＵによって繰り返し実行される。
【００８２】
まず、制御部１２は、無線通信部１７をオンにする（ステップＳ２１）。続いて、制御部１２は、ドット検出部１３によってドットが検出されたか否かを判別する（ステップＳ２２）。ドットが検出された場合、制御部１２は、カメラ１３ａで撮影されたドットの位置座標を特定し、メモリ１４にその座標データを記録するドット座標解析処理を行う（ステップＳ２３）。
【００８３】
制御部１２は、ホストコンピュータ５０と無線通信を行い、電子ペン１０によって記載されたドットの座標データをホストコンピュータ５０に転送する（ステップＳ２４）。この後、制御部１２はステップＳ２２の処理に戻る。
【００８４】
一方、ステップＳ２２でドットが検出されない場合、制御部１２は、タイマ１４ａを起動する（ステップＳ２５）。そして、制御部１２は、ドットが検出されたか否かを判別する（ステップＳ２６）。ドットが検出された場合、制御部１２は、タイマ１４ａをリセットし（ステップＳ２７）、ステップＳ２４の処理に進む。
【００８５】
一方、ステップＳ２６でドットが検出されない場合、制御部１２は、タイマ１４ａが予め設定された規定時間以上となって終了したか否かを判別する（ステップＳ２８）。タイマ１４ａが終了していない場合、制御部１２はステップＳ２６の処理に戻る。一方、タイマ１４ａが終了した場合、制御部１２は、一般紙４０であると判断し、無線通信部１７をオフにする（ステップＳ２９）。
【００８６】
そして、制御部１２は、ドットが検出された否かを判別する（ステップＳ３０）。ドットが検出されない場合、一般紙４０のままであるとして、ステップＳ２９の処理に戻る。一方、ステップＳ３０でドットが検出された場合、制御部１２は、専用紙３０であると認識し、無線通信部１７をオンにし（ステップＳ３１）、無線送信を再開する（ステップＳ３２）。この後、制御部１２はステップＳ２２の処理に戻る。
【００８７】
このように、ドット検出部１３で記載動作を感知した状態で一定時間ドットを検出しない場合、専用紙３０ではなく一般紙４０であると判断し、通信を制限して省電力化を図る。その後、ドットが検出された場合、専用紙３０を認識し、通信制限を解除して通常の無線通信を行う。
【００８８】
このように、制御部１２は、所定時間以上ドットが検出されなかった場合、電子ペン１０の電力を低減するよう制御する。これにより、専用紙３０以外に記載している時は、通信を制限して普通のペンとして使用できるようにする。これにより、無駄な電力消費を抑えることができる。
【００８９】
また、第１の実施形態〜第５の実施形態で説明した以外にも、変形例が考えられる。
【００９０】
例えば、ドット検出部１３によってドットが検出され、座標データが解析される度にホストコンピュータ５０との間で通信が行われたが、一定量の座標データがメモリ１４に蓄積された時点で通信が行われるようにしてもよい。
【００９１】
また、ドット検出部１３はカメラ１３ａおよび圧力センサ１３ｂから構成されたが、これらの代わりにもしくはこれらとともに、近接センサを用いてドットを検出するようにしてもよい。
【００９２】
また、専用紙３０としては、紙媒質に限らず、プラスチックシート（例えばＯＨＰシート）などであってもよい。
【００９３】
また、省電力モードでは、通信制御部１７をオフにする例を挙げたが、その他、必要としない電子部分をオフにして電力を削減するようにしてもよい。例えば、閉じたエリア内でその後に検出されるドットパターンを解析し、得られた座標データをメモリ１４に記録する動作を行わないようにすることでも、省電力化が図られる。
【００９４】
また、エリア内の全ドットが検出されたものと擬制して塗りつぶしが行われる場合、予め設定された単一色に限定することなく、その色やハッチングなどの属性を、専用紙の所定の領域に設けられたドットパターンを検出することで、指定できるようにしてもよい。
【００９５】
また、上記の実施形態で説明した機能を実現する通信制御プログラムを、ネットワークあるいは各種記憶媒体を介して電子ペン１０に供給し、この電子ペン１０のコンピュータ（制御部１２内のＣＰＵ）が読み出して実行するプログラムも適用範囲である。
【産業上の利用可能性】
【００９６】
本発明は、電子ペンの記載中においても省電力化を図ることができる電子ペン、電力制御方法、電力制御プログラム等に有用である。
【符号の説明】
【００９７】
１  手書き入力システム
１０  電子ペン
１１  ペン部
１２  制御部
１３  ドット検出部
１３ａ  カメラ
１３ｂ  圧力センサ
１４  メモリ
１４ａ  タイマ
１４ｂ  テーブル
１５  電源部
１６  電池
１７  無線通信部
３０  専用紙
３０ａ  拡大した部分
３１  ドットパターン
４０  一般紙
５０  ホストコンピュータ
５０ａ  無線通信部
【図１】
2012247939.tif 000003
【図２】
2012247939.tif 000004
【図３】
2012247939.tif 000005
【図４】
2012247939.tif 000006
【図５】
2012247939.tif 000007
【図６】
2012247939.tif 000008
【図７】
2012247939.tif 000009
【図８】
2012247939.tif 000010
【図９】
2012247939.tif 000011